(57)【要約】      （修正有）【課題】呼気に含まれる水分の排出と、異物の侵入を防ぐことができるホイッスル付き電子機器を提供する。【解決手段】本考案のホイッスル付き電子機器は、本体１の一端に設けられてホイッスル内へ空気を吹き込む吹込み口１０と、本体１の他端に設けられて、身体への取り付けのための装着具が連結される取り付け部８とを備える。【選択図】図４
0003202514.tif 000002
【実用新案登録請求の範囲】
【請求項１】
電子機器の本体にホイッスルを有するホイッスル付き電子機器であって、
前記本体の一端に設けられて前記ホイッスル内へ空気を吹き込む吹込み口と、
前記本体の他端に設けられて、身体への取り付けのための装着具が連結される取り付け部と、
を有する、
ホイッスル付き電子機器。
【請求項２】
前記ホイッスルは、前記吹込み口から吹き込まれた空気が排出される排気口と、
前記吹込み口から排気口へ流れる空気の振動と共鳴する共鳴部と、
を有する、
請求項１に記載のホイッスル付き電子機器。
【請求項３】
前記取り付け部は、前記装着具と連結して身体に吊り下げられることによって、
前記吹込み口の開口部が下向きとなること
を特徴とする、
請求項１または請求項２に記載のホイッスル付き電子機器。
【請求項４】
前記電子機器は、表示部を有し、
前記電子機器の動作、および、前記電子機器の前記表示部に表示される項目を切替えるためのスイッチ部を、前記本体の前記吹込み口から吹きこまれる空気の流れに沿って後方側へ配置したことを特徴とする、
請求項１から請求項３の何れか１項に記載のホイッスル付き電子機器。
【請求項５】
前記電子機器は、前記本体に加わる加速度を検出する加速度センサと、
前記ホイッスルの発生した音を検出する検出部と、
前記検出部に検出された音と、前記加速度センサに検出された前記吹込み口の向きとによって前記表示部の表示を制御する制御部と、
を有することを特徴とする、
請求項１から請求項４の何れか１項に記載のホイッスル付き電子機器。
【考案の詳細な説明】
【技術分野】
【０００１】
本考案は、ホイッスル付き電子機器に係り、特に、非常時や、身に危険を感じた場合に、自分の居場所や状況を知らせるための機能を有するものに関する。
【背景技術】
【０００２】
近年、健康維持や、生活習慣病の予防のため、日常の活動量を増やすことを目的として、歩数計や活動量計（３軸加速度計）、あるいはこれらの機能を備えた携帯電話器などの電子機器を身につける人が増加する傾向にある。このような電子機器は、常時携帯するという使用状況を考慮すると、災害や緊急事態に遭遇した際に救助を求めるためのホイッスルの機能を併せ持つことが、健康面だけではなく、危機管理面からも有効と考えられる。
【０００３】
このような要求から、携帯電話機や、スマートフォンに、ホイッスルを取り付けた考案が、特許文献１、特許文献２に開示されている。これらは、利用者が電波の届かない場所に居る場合、携帯電話やスマートフォンのバッテリーの残量が残っていない場合、あるいは、機器が故障して動作しないような通常の通信機能が失われた場合等、通信が不可能な状況であっても、ホイッスルを吹くことにより、外部に救助を求める機能を持っている。
【先行技術文献】
【特許文献】
【０００４】
【特許文献１】特開２００３−２９８７１０号公報
【特許文献２】特開２０１５−０６５５３５号公報
【考案の概要】
【考案が解決しようとする課題】
【０００５】
しかしながら、特許文献１においては、携帯電話器における機能上、あるいはデザイン上の制約下で警笛の機能を持たせているため、呼気に含まれる水分の排出が難しく、また、呼気が吹き込まれる吹込み口へ異物が侵入し易いという課題がある。
また、特許文献２に示される考案では、警笛を取り外し可能に外付けする構造であることから、スマートフォンとしての機能上、および、デザイン上の一体性に欠けるという課題がある。
本考案は、特許文献１、２が有する課題を解決したホイッスル付き電子機器を提供することを目的とする。
【課題を解決するための手段】
【０００６】
本考案は、ホイッスル付き電子機器は、電子機器の本体にホイッスルを有するホイッスル付き電子機器であって、前記本体の一端に設けられて前記ホイッスル内へ空気を吹き込む吹込み口と、前記本体の他端に設けられて装着具が連結される取り付け部と、を有する。なお本明細書において、前記本体の一端、他端とは、前記本体の形状が細長いときの一端と他端のみならず、前記本体の吹込み口からの空気の流れ方向に沿う一端と他端、さらには、前記本体の表示部に表示される桁方向に沿った一端と他端を意味するものとする。
【０００７】
また、前記ホイッスル付き電子機器に設けられる前記ホイッスルは、前記吹込み口から吹き込まれた空気が排出される排気口と、前記吹込み口から排気口へ流れる空気の振動と共鳴する共鳴部と、を有する。
【０００８】
また、前記取り付け部は、身体に装着される前記装着具と連結して身体に吊り下げられることによって、前記吹込み口の開口部が下向きとなることを特徴とする。
【０００９】
また、前記電子機器は、表示部を有し、前記電子機器の動作、および、前記電子機器の前記表示部に表示される項目を切替えるためのスイッチ部を、前記吹込み口から吹きこまれる空気の流れに沿って後方側に配置したことを特徴とする。
【００１０】
また、前記電子機器は、前記本体に加わる加速度を検出する加速度センサと、前記ホイッスルの発生した音を検出する検出部と、前記検出部により検出された音と、前記加速度センサによって検出された前記吹込み口の向きとによって前記表示部の表示を制御する制御部とを有する。
【考案の効果】
【００１１】
本考案によれば、健康維持のため小型の健康機器と、緊急時の備えとしてのホイッスルを一体化させることができ、ホイッスル単体の利便性を損なうことなく、電子機器に危機報知の機能を付加させることができる。
【図面の簡単な説明】
【００１２】
【図１】第１の実施形態によるホイッスル付き電子機器の装着状態を示した図である。
【図２】第１の実施形態によるホイッスル付き電子機器の正面図である。
【図３】第１の実施形態によるホイッスル付き電子機器の背面図である。
【図４】第１の実施形態によるホイッスル付き電子機器の図２のIV−IV線矢視断面図である。
【図５】第１の実施形態によるホイッスル付き電子機器のブロック図である。
【図６】第２の実施形態によるホイッスル付き電子機器のフローチャートを示す図である。
【図７】第２の実施形態によるホイッスル付き電子機器の第１の使用状態を示す図である。
【図８】第２の実施形態によるホイッスル付き電子機器の第２の使用状態を示す図である。
【考案を実施するための形態】
【００１３】
《第１の実施形態》
以下、図面を参照しながら実施形態について説明する。
図１は、第１の実施形態の活動量計をユーザーＭが装着した状態を示す。符号１は活動量計の本体である。この本体１は、扁平な楕円状をなし、その一方の面には消費カロリー、歩数等活動量計が計測する各種の数値を表示する表示部２が設けられ、その一端部に設けられた紐状の装着具であるストラップ３によってユーザーＭの首等に吊り下げた状態で装着される。
前記本体１は、図２〜４に示すように、全体として中空状に形成され、上部ボディ１Ａと下部ボディ１Ｂとから構成された分割構造となっている。
また、図２〜４に関して、便宜上、ストラップ３を取り付けるストラップ連結部８側を上側、吹込み口１０側を下側として説明する。
【００１４】
図２は、活動量計の本体１の正面図である。図２の上部のスイッチ４は、活動量計におけるモード切替を行うものである。このスイッチ４は、押す毎に、測定した活動量（カロリー）と、歩数（歩）と、時刻（時分）などを順次切替えるための信号を出力するものであって、この例では、モードを３段階備えている。また、スイッチ４の下には表示部２を構成するＬＣＤ（液晶表示装置）を備える。この表示部２はスイッチ４で選択されるモードにおいて、そのモードで必要とされるデータを表示するものである、なお表示される数値の桁は、１００００歩以上を表示することができるように５桁以上となっている。そして図２の最下位部には、下側に開口したホイッスルの吹込み口１０が設けられている。
【００１５】
図３は、活動量計の本体１の背面図である。活動量計は、内部の加速度センサおよび回路に電源を供給する電池５を備えている。図３の電池蓋６は、この電池５が出し入れされる開口部を覆っている。この電池蓋６は、ネジ止めによって、取り外し可能に本体１に取り付けられる。また、図３の下面には、吹込み口１０より吹き込まれた空気が流出する排気口１２が開口して設けられている。
【００１６】
図４は、活動量計の本体１の断面図（図２のＩＶ−ＩＶ矢視断面）である。図４の右側の上部ボディ１Ａの上部には、基板７がネジ止めによって取り付けられている。この基板７の右側の面には、上からスイッチ４と、表示部２とが取り付けられている。また、基板７の左側の面には、上から電池５と、後述する制御部（マイクロコンピュータ）２１と、後述する３軸加速度センサ２０と、その他の電子回路部品が配置されている。また、図４の左側の下部ボディ１Ｂは、前記上部ボディ１Ａとほぼ等しい平面形状に形成されている。この下部ボディ１Ｂの上部には、ストラップ３が連結される連結部８が形成されている。この実施形態の連結部８は、ストラップ３の端部が挿通される穴とストラップ３が巻き付けられる棒状部とを有している。さらに、下部ボディ１Ｂの下部には、空洞状の共鳴部１３が形成され、その下には、排気口１２が形成されている。この排気口１２の下方には、吹き込み口１０へ向かって排気口１２へ近づくように傾斜した絞り部１１が形成されて、吹き込み口１０から排気口１２へ至る流路中の空気の流速を所定の振動数の振動を生じる速度に調整するようになっている。
【００１７】
このように、吹き込み口１０と、絞り部１１と、排気口１２と、共鳴部１３とによってホイッスルが構成されている。すなわち、ユーザーＭが、吹込み口１０より空気を吹き込むと、吹き込まれた空気は、絞り部１１によって流速が高くなって警報に適当な波長の音波を発生して排気口１２から排出されるとともに、発生した音波が共鳴部１３で共鳴して大きな警報音を発することができる。この操作により発生する音は、人が聞きとりやすい周波数とされる２ＫＨｚ〜５ＫＨｚに設定することが望ましい。前記下部ボディ１Ｂは、その下面全体に伸びる下面板１Ｂａと、この下面板１Ｂａの略下半分の範囲に下面板１Ｂｂとの間に間隔をおいて設けられた上面板１Ｂｂとの分割構造とされていて、これら上面板１Ｂａと下面板１Ｂｂとの間にホイッスルを構成する吹き込み口１０、絞り部１１、共鳴部１３となる空間が形成されている。なお前記下面板１Ｂａと上面板１Ｂｂとを一体に形成しても良い。
【００１８】
また、図４の断面図を参照して、活動量計を構成する基板７と、ホイッスルを構成する下部ボディ１Ｂとの配置関係について説明する。本実施形態では、温度の変化が大きい吹込み口１０と排気口１２との位置から、吹き込まれる息（空気）の流れ方向に沿って後方に離れた位置に基板７を配置している。ユーザーＭがホイッスルを吹くと、ほぼ体温と同じ温度の呼気が、吹込み口１０に吹き込まれ、室温程度であった本体１の温度が、僅かに上昇し、基板７に取り付けられている電子部品の誤差要因となる。この実施形態では、本体１の内部の、吹込み口１０から排気口１２と共鳴部１３とに至る領域と、基板７を含む領域とから、構造上遮断されているため、温度の影響による誤差の発生を最小限にすることができる。
【００１９】
図５は、活動量計のブロック図である。制御部（マイクロコンピュータ）２１は、３軸加速度センサ２０から取得した加速度データを用いて、消費カロリーおよび歩数を演算する。また、制御部（マイクロコンピュータ）２１は、内部に時計機能を有し、時計カウントを常に行なっている。そして、制御部２１（マイクロコンピュータ）は、スイッチ４の操作によって、何れのモードにおいてスイッチ４が操作されたかを判断し、演算した値や時刻を表示部２へ出力する。
制御部（マイクロコンピュータ）２１および３軸加速度センサ２０へ供給される電源は、電池５から定電圧回路２２を介して一定の電圧で供給される。また、制御部（マイクロコンピュータ）２１は、電池５の電圧を監視する電圧検出器２３によって、電池の残量が減り、活動量計を構成する回路部品の動作電圧を下回ったことが検出された場合、表示部２を制御して電池交換時期である旨を表示させる。
【００２０】
次に、ユーザーＭが、緊急時に本体１をホイッスルとして使用する場合について、この実施形態の作用を説明する。ユーザーＭは、ストラップ３によって吊り下げられていた本体１を手で持ち、下部の吹込み口１０を口でくわえ、息を吹き込んで音を出す。このホイッスルは、ユーザーＭの呼気により動作するので、例えば電池の残量が無く、活動量計として動作していない場合であっても、常に警報器として機能させることが可能である。
また、ホイッスルは、ストラップにより吊り下げられた状態で携帯されていて、図１で示されるように、吹込み口は常に下向きである。そのため、ホイッスルとして使用した際に、共鳴室に唾が入ったり、呼気に含まれる水分が溜まったりした場合であっても、ストラップに吊り下げて携行している間に吹込み口より排出され、共鳴室に残ることがなく衛生的である。また、活動量計として使用している場合は、ストラップ３によって吊り下げされているため、開口した吹込み口が下向きであり、吹込み口にほこりなどが入りにくく衛生的である。
【００２１】
このように、活動量計とホイッスルを一体化とすることで、本体１は、活動量計の形状を大きく変更することなくホイッスルの機能を取り入れることができる。また、本体１は、一般的なホイッスルの形状と同様に、片方の手のひらに収まる形状であり、扁平で扱いやすい形状である。つまり、ユーザーＭは、吊り下げられた単体のホイッスルとして認識することができるため、緊急時に、例えば、携帯電話に接続されたホイッスル部分を分離させ、ホイッスル部分を取り出す手順を意識することなく、すばやくホイッスルを吹くことができる。
【００２２】
以上、ホイッスルの構造と、活動量計について説明したが、具体的な構成は上述に限られたものではなく、様々な設計変更をすることが可能である。例えば、本実施形態では、排気口１２と、共鳴部１３の位置は、活動量計の中央に位置する表示部と重なっているが、本体１の表示部の左右どちらかに配置されてもよく、また、左右それぞれに、吹込み口１０と、排気口１２と、共鳴部１３を設けてもよい。
また、本実施形態では、活動量計の表示部を備えていたが、表示部を設けなくともよい。すなわち、活動量計が測定したデータを、外部の携帯端末等の機器へ送信する無線通信を備えることで、本体１の表示部を省略してもよい。この場合、本体１は、活動量計が測定したデータを、スマートフォン等の携帯端末へ送信することで、活動量の数値や、活動量のグラフィック表示することが可能となる。よって、本体１は、活動量計の動作等のみを示すＬＥＤのみを設ければよく、本実施形態より小型のホイッスル付き活動量計が実現することができる。  
【００２３】
《第２の実施形態》
次に、ホイッスルの操作に伴って表示内容を変更するようにした第２の実施形態について説明する。この第2の実施形態では、図５のブロック図に破線で示すように、３軸加速度センサ２０がホイッスルから発せられる音を検出することができ、その他の構成は第１の実施形態と同じである。
３軸加速度センサ２０は、歩行などの伴う身体の振動を検出するとともに、本実施形態のにあっては、ホイッスルを吹く操作によって本体１に生じる振動をも検出することができる動作特性を備えるものが用いられている。
【００２４】
図６は、第２の実施形態の動作を示すフローチャートである。
通常活動量計１は、電源をＯＮすることにより活動量計としての動作を開始する（ステップＳ１）。次に、制御部（マイクロコンピュータ）は、３軸加速度センサ２０のデータが身体動作に伴う低い周波数の振動か、あるいは、ホイッスルの音による高い周波数の振動かを、判断する（ステップＳ２）。このとき、低い周波数とは、歩数などの動作に伴う数Ｈｚ〜数十Ｈｚの周波数である。また、高い周波数とは、ホイッスルの音である数ＫＨｚの周波数である。３軸加速度センサ２０は、ホイッスルの共鳴部による高い周波数による振動を、検出することができる。制御部（マイクロコンピュータ）２１が、身体運動による低い周波数の振動と判断した場合（ステップＳ２：Ｎｏ）、Ｓ１に戻って活動量計の動作を継続するとともに、ホイッスルからの音の発生の検出を待つ。
【００２５】
次に、制御部（マイクロコンピュータ）２１が、ホイッスルを吹くことによる、高い周波数の振動と判断した場合（ステップＳ２：Ｙｅｓ）、活動量計の動作を停止し、緊急モードとして動作する（ステップＳ３）。この緊急モードは、活動量計での消費電力を低減させ、電池の消耗を防ぎ、緊急時における補助的な表示を行うモードである。また、制御部（マイクロコンピュータ）２１は、３軸加速度センサ２０から供給される低い周波数の加速度検出信号から、ホイッスルの吹込み口１０の開口部の向きを判断する。つまり、制御部（マイクロコンピュータ）２１は、ユーザーＭが手に持った活動量計１の吹込み口１０の開口部が上向きとなり、ストラップ連結部８が下向きとなっているか（図７参照）、または、吹込み口１０の開口部が水平向きとなり、地面とほぼ水平となっているか（図８参照）を判断する。すなわち３軸加速度センサ２０により検出された重力加速度によって３軸加速度センサのＸ軸、Ｙ軸、Ｚ軸の各方向の出力バランスが変化することで判断が可能である。そして、制御部（マイクロコンピュータ）２１は、活動量計１が、どの向きであるかを記憶する（ステップＳ３）。
【００２６】
次に、緊急モードにおいて、制御部（マイクロコンピュータ）２１は、スイッチ４が長押しされたかどうか判断する（ステップＳ４）。スイッチ４が長押しされたと、判断した場合（ステップＳ４：Ｙｅｓ）、緊急モードを解除し（ステップＳ５）、活動量計動作（ステップＳ１）へ戻り、通常の活動量計として動作を行う。
制御部（マイクロコンピュータ）２１は、スイッチ４が、長押しされないと判断した場合（ステップＳ４：Ｎｏ）、記憶部から吹込み口１０の開口部の向きを読出し、吹込み口１０の開口部の向きが、上向きであるか、水平向きであるかを判断する（ステップＳ６）。吹き込み口１０の開口部の向きが上向きである場合（ステップＳ６：Ｙｅｓ）、表示部２へ、緊急状態を外部へ知らせるため、例えば、ＨＬＥＰなどの文字を、点滅表示させる（ステップＳ７）。また、吹込み口１０の開口部の向きが水平向きの場合（ステップＳ６：Ｎｏ）、制御部（マイクロコンピュータ）２１の内部の時計カウンタをスタートさせ、ホイッスルを吹いた時点など、所定の時刻からの経過時間を表示させる（ステップＳ８）。このようにカウントされる時間は、災害などに遭遇し、救助を待つ時間などを確認するために利用される。そして、ユーザーＭは、図８に示すように、ホイッスルを吹きながら表示部２に示される時間表示を見ることができる。
【００２７】
以上、ホイッスルの音を、３軸加速度センサ２０によって検出する場合の実施形態について説明したが、具体的な構成はこれに限られたものではなく、様々な設計変更をすることが可能である。例えば、本実施形態では、３軸加速度センサに代えて、ホイッスルが発生する音の振動を検出する、圧電センサなどの他のセンサによって検出してもよい。また、ＬＥＤなどの発光素子を設け、制御部（マイクロコンピュータ）２１は、ホイッスルの音を検出し緊急モードへ移行した場合、周囲に向けてＬＥＤを点滅させるようにしてもよい。また、表示部を設けない活動量計の場合、例えば、青色の点滅は、通常の活動量計を表し、赤色の点滅は、緊急モードを表すとしてもよい。
また、３軸加速度センサによる、ホイッスルを吹いた状態の活動量計１の向きは、吹込み口１０の開口部の向きが、上向きと水平向きの２方向であったが、さらに下向きを追加し、３方向の向きを検出して、その向きに応じた動作を行わせるようにしてもよい。
【符号の説明】
【００２８】
１  本体
１Ａ  上部ボディ
１Ｂ  下部ボディ
２  表示部
３  ストラップ
４  スイッチ
５  電池
６  電池蓋
７  基板
８  ストラップ連結部
９、１０  吹込み口
１１  絞り部
１２  排気口
１３  共鳴部
２０  ユーザーＭ
【図１】
0003202514.tif 000003
【図２】
0003202514.tif 000004
【図３】
0003202514.tif 000005
【図４】
0003202514.tif 000006
【図５】
0003202514.tif 000007
【図６】
0003202514.tif 000008
【図７】
0003202514.tif 000009
【図８】
0003202514.tif 000010
【手続補正書】
【提出日】平成27年11月19日(2015.11.19)
【手続補正１】
【補正対象書類名】実用新案登録請求の範囲
【補正対象項目名】全文
【補正方法】変更
【補正の内容】
【実用新案登録請求の範囲】
【請求項１】
電子機器の本体にホイッスルを有するホイッスル付き電子機器であって、
前記本体の一端に設けられて前記ホイッスル内へ空気を吹き込む吹込み口と、
前記本体の他端に設けられて、身体への取り付けのための装着具が連結される取り付け部と、
を有する、
ホイッスル付き電子機器。
【請求項２】
前記ホイッスルは、前記吹込み口から吹き込まれた空気が排出される排気口と、
前記吹込み口から排気口へ流れる空気の振動と共鳴する共鳴部と、
を有する、
請求項１に記載のホイッスル付き電子機器。
【請求項３】
前記取り付け部は、前記装着具と連結して身体に吊り下げられることによって、
前記吹込み口の開口部が、下向きとなること
を特徴とする、
請求項１または請求項２に記載のホイッスル付き電子機器。
【請求項４】
前記電子機器は、表示部を有し、
前記電子機器の動作、および、前記電子機器の前記表示部に表示される項目を切替えるためのスイッチ部を、前記本体の前記吹込み口から吹きこまれる空気の流れに沿って後方側へ配置したことを特徴とする、
請求項１から請求項３の何れか１項に記載のホイッスル付き電子機器。
【請求項５】
前記電子機器は、前記本体に加わる加速度を検出する加速度センサと、
前記ホイッスルの発生した音を検出する検出部と、
前記検出部に検出された音と、前記加速度センサに検出された前記吹込み口の向きとによって前記表示部の表示を制御する制御部と、
を有することを特徴とする、
請求項４に記載のホイッスル付き電子機器。